(57)【要約】【課題】表示部と操作キーを備えた機器本体に対して、取っ手を取り付けるとともに、該取っ手によって鈎状の突起物や水平なポール等に安定に引っ掛け可能な取っ手付き機器を提供する。【解決手段】表示部（３５）と操作キー（３７）を備えた機器本体（１０）に対し、取っ手（２０）が起立及び横倒しできるように取り付けられている取っ手付き機器（１）において、取っ手を横倒しすると水平方向へスライドできるようにされる。取っ手の横倒し時においては、取っ手から下方向に露出する舌片（３０）が設けられ、取っ手と舌片とが水平方向に配置されたポール（４２）を把持して、機器本体を空中で保持する。【選択図】    図１
2004329296.tif 000002
【特許請求の範囲】
【請求項１】
表示部と操作キーを備えた機器本体に対し、ほぼ「Ｕ」字形の取っ手が起立及び横倒しできるように機器本体に取り付けられている取っ手付き機器において、
前記取っ手は、横倒し時に水平方向へスライドするように取り付けられるとともに、鈎状の突起に掛け止められ、機器本体が取っ手により空中で保持されることを特徴とする取っ手付き機器。
【請求項２】
請求項１記載の機器本体に対し、左右対称の取っ手が起立及び横倒しできるように機器本体に取り付けられている取っ手付き機器において、
前記取っ手には、横倒し時において、下方向に露出する舌片が設けられ、
取っ手と舌片とが水平方向に配置されたポールを把持し、機器本体が取っ手により空中で保持されることを特徴とする取っ手付き機器。
【請求項３】
請求項１に記載した取っ手のスライド手段は、機器本体の側壁に設けられた溝と、取っ手の先端部に形成され、前記溝に嵌入する突起とからなり、
前記取っ手は、鈎状の突起に掛け止められ、機器本体が取っ手により空中で保持されることを特徴とする取っ手付き機器。
【請求項４】
表示部と操作キーを備えた機器本体に対し、略「Ｕ」字形の取っ手が取り付けられている取っ手付き機器において、
前記取っ手を起立及び横倒し可能とする起倒手段と、前記取っ手の横倒し時に前記取っ手を水平方向へ移動可能とするスライド手段と、横倒しされた前記取っ手から下方向に露出する掛止用の舌片とを備え、
前記スライド手段は、機器本体の側壁に設けられた溝と、取っ手の先端に形成され、前記溝に嵌入する突起とからなり、
前記起倒手段は、前記溝の一端に設けられ、前記頭部を回転可能に支持する略四分円形状の溝拡大部からなり、
前記取っ手は、前記頭部が前記溝拡大部に位置した時に回転可能にするとともに、横倒し時に水平方向へスライドし、機器本体が前記舌片を介して空中で保持されることを特徴とする取っ手付き機器。
【発明の詳細な説明】
【０００１】
【発明の属する技術分野】
本発明は、表示部と操作キーを備えるとともに、取っ手を取り付けた機器に関し、例えば、据置型の血圧計等に適用できるものである。
【０００２】
【従来の技術】
従来、病院用の血圧計は、比較的大型であり、表示部の確認上の点や、カフとの接続チューブの長さの点から、ベッド付近に設置していた。
【０００３】
一方、図１１に示したように、種々の機器３には、持ち運びを便利にするために取っ手７が取り付けられることがある。このような取っ手７は、通常、「Ｕ」字形をしており、機器３に不動に固定されるか、または、起倒自在に機器３に取り付けられる。そして、このような取っ手７の取り付けた機器３は、取っ手７をアンカーボルトやフック等の突起物４に引っ掛けて使用することもある（下記特許文献１参照）。
【特許文献１】特開平８−３３１５７号公報
【発明が解決しようとする課題】
従来の据置型血圧計は、狭い病室の場合や、ベッドどうしの間隔が狭い場合には、患者の傍まで近づけることが難しく、患者の血圧測定が煩雑となっている。もし、血圧計をベッド上に置いて測定すると、患者にはじゃまになるばかりか、血圧計がベッドから落下する恐れがあって危険である。血圧計の落下は、点滴をしている患者の場合、点滴セットが外れて、人命にかかわることも考えられる。また、血圧計を床に置くと、血圧計を蹴飛ばす恐れがあって危険であり、しかも操作キーを操作しずらく、表示部が見難くなるという問題がある。
【０００４】
既存の据置型血圧計は、前記公報に記載されたものと同じく、血圧計本体に取っ手を取り付けて、これをベッド周辺にある突起物に引っ掛けることがある。しかし、従来の取っ手付き機器では、取っ手が固定されており、握り部が突起物の上を滑って危険であるという問題がある。しかも、従来のＵ字形取っ手は、本来の目的である移動用としたものであり、ベッドの背もたれや手すりには引っ掛けられず、掛け止め場所が制限されるという問題もある。
【０００５】
本発明は、前記問題に鑑みてなされたものであって、表示部と操作キーを備えた機器本体に、取っ手を取り付けるとともに、該取っ手を鈎状の突起物や水平なポール等に安定に引っ掛け得る取っ手付き機器を提供することを課題とする。
【０００６】
【課題を解決するための手段】
上記の課題を解決するため、請求項１に係る発明は、表示部と操作キーを備えた機器本体に対し、ほぼ「Ｕ」字形の取っ手が起立及び横倒しできるように機器本体に取り付けられている取っ手付き機器において、前記取っ手は、横倒し時に水平方向へスライドするように取り付けられるとともに、鈎状の突起に掛け止められ、機器本体が取っ手により空中で保持されることを特徴とする。
【０００７】
（作用）取っ手は起立させると、これを把持して機器本体を運搬できる。取っ手を横倒ししてスライドさせると、横倒し状態の取っ手が機器本体の背面から突出するので、壁面等に設けられた一対のフック等の鈎状の突起物に取っ手を引っ掛けられ、機器本体が空中に保持される。
【０００８】
請求項２に係る発明では、請求項１記載の機器本体に対し、左右対称の取っ手が起立及び横倒しできるように機器本体に取り付けられている取っ手付き機器において、前記取っ手には、横倒し時において、下方向に露出する舌片が設けられ、取っ手と舌片とが水平方向に配置されたポールを把持し、機器本体が取っ手により空中で保持されることを特徴とする。
【０００９】
（作用）取っ手を水平方向へ倒して機器本体の後方へ突出させて、舌片を前記取っ手から下方向に露出させ、舌片と機器本体との間に手すり等の水平なポールを夾み、取っ手と舌片とでポールを把持する。これで、機器本体が取っ手により空中に保持される。
【００１０】
請求項３に係る発明では、請求項１に記載した取っ手のスライド手段は、機器本体の側壁に設けられた溝と、取っ手の先端に形成され、前記溝にスライド自在に嵌入する突起とからなり、鈎状の突起に掛け止められ、機器本体が取っ手により空中で保持されたことを特徴とする。
【００１１】
（作用）取っ手を横倒ししたときは、取っ手に設けられた頭部が側壁に設けられた溝に沿ってスライドするから、取っ手は、後方へ移動させて機器本体の後方へ突出させることができる。これで、壁面等に設けられた一対のフック等の鈎状の突起物に取っ手を引っ掛けて、機器本体を空中に保持できる。
【００１２】
請求項４に係る発明では、表示部と操作キーを備えた機器本体に対し、ほぼ「Ｕ」字形の取っ手が取り付けられている取っ手付き機器において、前記取っ手を起立及び横倒し可能とする起倒手段と、前記取っ手の横倒し時に前記取っ手を水平方向へ移動可能とするスライド手段と、横倒しされた前記取っ手から下方向に露出する掛止用の舌片とを備え、前記スライド手段は、機器本体の側壁に設けられた溝と、取っ手の先端に形成され、前記溝に嵌入する突起とからなり、前記起倒手段は、前記溝の一端に設けられ、前記頭部を回転可能に支持する略四分円形状の溝拡大部からなり、前記取っ手は、前記頭部が前記溝拡大部に位置した時に回転可能にされ、前記取っ手は、横倒し時に水平方向へスライドし、機器本体が前記舌片を介して空中で保持されることを特徴とする。
【００１３】
（作用）取っ手を一端側に移動させると、取っ手の突起の頭部が、溝の一端に設けられた略四分円形状の溝拡大部に位置固定されるとともに、溝拡大部内で回転可能となり、取っ手を直立させることができ、通常の取っ手として使用できる。取っ手を横倒しすると、取っ手は、機器本体に対して回転不能でスライド可能になるので、機器本体の後方へ突出させ、さらに舌片を取っ手から下方向に露出させる。そして、舌片と機器本体との間に背もたれや手すり等の水平なポールを夾み、取っ手と舌片とでポールを把持すると、機器本体が取っ手により空中に保持される。
【００１４】
【発明の実施の形態】
本発明の好ましい一実施例を図面に基づいて説明する。図１は、本発明の一実施例に係る取っ手付き機器の斜視図である。図２は、前記取っ手付き機器の側面図である。図３は、前記取っ手の平面図である。図４は、図３のＩＶ−ＩＶ線に沿う断面図である。図５は、前記取っ手の背面図である。図６は、図２のＶＩ−ＶＩ線に沿う断面図である。図７は、前記取っ手付き機器の取っ手を起立した状態を示す図である。図８は、前記取っ手付き機器を水平なポールに引っ掛けた状態を示す図である。図９は、前記取っ手付き機器をベッドの板壁（背もたれ）に引っ掛けた状態を示す図である。図１０は、前記取っ手付き機器をフック等に引っ掛けた状態を示す図である。
【００１５】
本実施例の取っ手付き機器１は、血圧計であり、病院等で重病患者等の血圧を常時測定するために使用するものである。この取っ手付き機器１は、図１に示したように、機器本体１０の前面に測定値等の表示部３５を、その上面前方付近に操作キー３７を備え、さらに、機器本体１０に対して起倒自在でかつ前後方向へスライド可能な取っ手２０を備えている。取っ手２０には、図８に示したように、取っ手２０を横倒ししたとき、下方へ出没自在な舌片３０が取り付けられている。
【００１６】
取っ手２０は、握り部２１とアーム２２とを有した正面視逆「Ｕ」字形をしている。アーム２２の先端付近には、図３及び図４に示したように、機器本体１０へ取り付けるための突起２３が形成されている。突起２３は、軸部２４と、この軸部２４より幅広で、軸部２４からアーム２２と平行に長く延び先端が丸くされた頭部２５を有している。
【００１７】
取っ手２０の握り部２１の内側には、図４及び図５に示したように、凹部２６が設けられており、この凹部２６内には、舌片３０が支軸３２回りに回転可能に軸支されている。この凹部２６の下端には、舌片３０を凹部２６内へ収容したとき、舌片３０を凹部２６内へ固定するための爪部２７が形成されている。この凹部２６内には、舌片３０を凹部２６から突出させて下方へ露出させたとき、舌片３０が不用意に回転しないように、舌片３０を握り部２１に垂直に固定するため、図示しない摩擦部材等の適宜な舌片固定手段を備える。
【００１８】
機器本体１０の側壁１２には、図２及び図６に示したように、取っ手２０の突起２３の軸部２４をスライド可能に挿通するスリット１３と、突起２３の頭部２５が係合する溝１４が設けられる。そして、取っ手２０を横倒しして、頭部２５の長手方向を溝１４と平行にすると、頭部２５は、溝１４の後端に達するまで回転不能でスライド可能になる。すなわち、取っ手２０を水平に横倒しすると、取っ手２０は、後方へ引くことができ、機器本体１０に対して回転不能となる。このように、頭部２５を有する突起２３と溝１４とから、取っ手２０をスライド可能とするスライド手段が構成される。また、側壁１２の内面と取っ手２０の頭部２５の間には、図３に示したように、取っ手２０と側壁１２との間のがたつき防止と円滑なスライドを確保するために、Ｅリング２８が介在される。
【００１９】
側壁１２に設けられたスリット１３の一端には、図２に示したように、取っ手２０の突起２３の頭部２５を通過させる突起通過孔１５と、取っ手２０の突起２３が最前方に位置したとき、突起２３の軸部２３が係合する窪み１６が設けられている。突起通過孔１５は、取っ手２０を側壁１２に取り付けるとき、頭部２５を通過させるものである。溝１４の一端には、取っ手２０を起倒可能とする起倒手段として、略４分円形状の溝拡大部１７が形成されていて、軸部２３を窪み１６に係合させると、取っ手２０は、軸部２３を軸として回転できる。
【００２０】
本実施例における取っ手２０の使用法と作用効果について説明する。
【００２１】
通常、取っ手２０は、図１及び図７に示したように、最前方に位置させておく。この状態では、突起２３の頭部２５が溝拡大部１７内に位置し、突起２３の軸部２４がスリット１３の端部の窪み１６と係合している。このため、頭部２５は、溝拡大部１７内を自由に回転でき、取っ手２０を上方へ起立させて、従来の取っ手と同じように使用できる。このとき、取っ手２０は、起倒自在であるが、頭部２５の長手方向が溝１４と平行でないので、頭部２５が溝１４に沿って後方へスライドすることはなく安全である。
【００２２】
このように、血圧計である機器本体１０は、起立した取っ手２０があるため、患者の傍まで容易に運ぶことができる。取っ手２０を上方へ起立させたときは、舌片３０を握り部２１の凹部２６内に収容して、握り部２１を握るとき舌片３０がじゃまにならないようにする。
【００２３】
取っ手２０を水平に横倒しすると、頭部２５の長手方向が溝１４と平行になるので、突起２３の頭部２５が溝１４の端に当接するまで、取っ手２０を後方へスライドさせることができる。そして舌片３０を握り部２１の凹部２６から下方へ引き出すと、取っ手２０と舌片３０によって、図８に示したようにベッドの手すり４２等の水平なポールに、又は、図９に示したようにベッド４３の板壁（背もたれ）４５に、血圧計である機器本体１０を引っ掛けることができる。これで、血圧計は、操作キー３７を操作し易くかつ表示部３５を見やすい位置に安定に保持される。
【００２４】
ここで、取っ手２０のアーム２２の長さは、取っ手２０を横倒しして、最後方まで引いたとき、機器本体１０の背面と舌片３０との間隔が、ベッドの手すり４２等、機器本体１０を引っ掛けようとする水平なポールの直径と略等しくなるように設定することが望ましい。
【００２５】
一対のフックのような鈎状の突起４４に対しては、図１０に示したように、舌片３０を凹部２６内に収容したまま、取っ手２０を突起４４に引っ掛けて、機器本体１０を安定に空中に保持できる。
【００２６】
本実施例によれば、機器本体１０を空中に安定して保持できるので、機器本体１０を置く所望の高さの台等がない場合にも、操作キー３７を操作し易くかつ表示部３５を見やすい位置に機器本体１０を安定に設置することができる。
【００２７】
ところで、本発明は、前記実施例に限るものではなく、例えば、以下のように種々の変形が可能である。
【００２８】
前記実施例の取っ手付き機器１は、血圧計以外にも、表示部と操作キーを備えた種々の機器に適用可能である。
【００２９】
前記実施例では、機器本体１０の側壁１２の内面に、取っ手２０の突起２３の頭部２５と係合する溝１４を設けたが、溝１４を側壁１２の外面に設けてもよい。この場合は、取っ手２０の弾性力によって、頭部２５を溝１４から外れないように付勢することになる。
【００３０】
取っ手２０を横倒しして後方へ引いたとき、取っ手２０をバネ等の適宜手段によって前方に付勢してもよい。この場合は、任意の太さの水平なポールに機器を引っ掛けることができる。
【００３１】
取っ手２０には必ずしも舌片３０を取り付ける必要はない。ただし、舌片を省く場合は、一対のフック４４のような鈎状の突起に取っ手２０を引っ掛けることになる。
【００３２】
取っ手２０は、必ずしも機器本体１０に対してスライド可能にする必要はない。ただし、この場合は、取っ手２０を横倒し状態に固定する機構と舌片３０は必須なものとなり、取っ手２０を横倒し状態に固定して、取っ手２０と舌片３０によって機器本体１０を水平なポールに引っ掛けることになる。
【００３３】
【発明の効果】
以上の説明から明らかなように、請求項１に係る発明によれば、表示部と操作キーを備えた機器本体に対し、取っ手が起立及び横倒しできるように機器本体に取り付けられている取っ手付き機器において、前記取っ手は、横倒しした時に水平方向へスライドするように取り付けられるから、前記取っ手を壁面等から突出した鈎状の突起に掛け止めることにより、機器本体を空中に安定して保持できる。これにより、機器本体を置く所望の高さの台等がない場合にも、操作キーを操作し易くかつ表示部を見やすい位置に機器本体を安定に設置することができる。
【００３４】
請求項２に係る発明によれば、取っ手が起立及び横倒しできるように機器本体に取り付けられていて、前記取っ手には横倒し時において下方向に露出する舌片が設けられているので、取っ手と舌片とで水平方向に配置されたポールを把持し、機器本体を空中に安定して保持できる。これにより、機器本体を置く所望の高さの台等がない場合にも、機器本体を操作し易くかつ表示部を見やすい位置に安定して設置することができる。
【００３５】
請求項３に係る発明によれば、取っ手のスライド手段は、機器本体の側壁に設けられた溝と、取っ手の先端に形成され、前記溝にスライド自在に嵌入する突起とからなるから、取っ手に設けられた突起と機器本体の側壁にわずかな改良を加えるのみで、取っ手を機器本体に対して水平方向へスライド可能に取り付けられる。これにより、請求項１に係る発明と同じ効果を奏する。
【００３６】
請求項４に係る発明によれば、取っ手を一端側に移動させると、取っ手に設けた突起の頭部が、側壁に設けた溝の一端の略四分円形状の溝拡大部に位置固定されるとともに溝拡大部内で回転可能となるので、取っ手を起立させて使用できる。また、取っ手を横倒しすると、取っ手が機器本体に対してスライド可能になるので、機器本体の後方へ突出させ、舌片を取っ手から下方向に露出させ、取っ手と舌片とでポールを把持すると、請求項２に係る発明と同じ効果を奏する。
【図面の簡単な説明】
【図１】本発明の一実施例に係る取っ手付き機器の斜視図である。
【図２】前記取っ手付き機器の側面図である。
【図３】前記取っ手付き機器の取っ手の平面図である。
【図４】図３のＩＶ−ＩＶ線に沿う断面図である。
【図５】前記取っ手付き機器の取っ手の背面図である。
【図６】図２のＶＩ−ＶＩ線に沿う断面図である。
【図７】前記取っ手付き機器の取っ手を起立した状態を示す図である。
【図８】前記取っ手付き機器を水平なポールに引っ掛けた状態を示す図である。
【図９】前記取っ手付き機器をベッドの板壁に引っ掛けた状態を示す図である。
【図１０】前記取っ手付き機器をフック等に引っ掛けた状態を示す図である。
【図１１】従来の取っ手付き機器を突起物に引っ掛けて使用した状態を示す図である。
【符号の説明】
１            取っ手付き機器（血圧計）
１０          機器本体
１２          側壁
１４          溝（スライド手段）
１７          溝拡大部（起倒手段）
２０          取っ手
２３          突起（スライド手段）
２５          頭部（スライド手段）
３０          舌片
３５          表示部
３７          操作キー
４２          手摺り（ポール）
４４          フック（鈎状の突起）
４５          板壁
【図１】
2004329296.tif 000003
【図２】
2004329296.tif 000004
【図３】
2004329296.tif 000005
【図４】
2004329296.tif 000006
【図５】
2004329296.tif 000007
【図６】
2004329296.tif 000008
【図７】
2004329296.tif 000009
【図８】
2004329296.tif 000010
【図９】
2004329296.tif 000011
【図１０】
2004329296.tif 000012
【図１１】
2004329296.tif 000013